(57)【特許請求の範囲】
【請求項１】
直接接触法による超音波探傷装置であって、
給水ホースと、該給水ホースからの給水を内部に取込む取付けキャップと、
該取付けキャップとの間に、給水を一時溜める水溜部と該水溜部の給水中の気泡を分離する空間部とを形成する給水用キャップとからなる給水部と、
被検体と直接に接触し超音波を発信および被検体からの反射波を受信する探触子とを具備し、
前記給水部を着脱可能なように、前記探触子と一体化し、
前記給水用キャップに設けた溝または穴を通して、前記探触子の直上に給水できるようにすることを特徴とする直接接触法による超音波探傷装置。
【請求項２】
請求項１に記載の直接接触法による超音波探傷装置において、
前記取付けキャップは空気抜き用の貫通穴を具備することを特徴とする直接接触法による超音波探傷装置。
【発明の詳細な説明】
【技術分野】
【０００１】
本発明は、被検体と探触子が直接接する直接接触法による超音波探傷装置に係り、特に、気泡が入らないように探触子近傍に水を確実に供給するこができる、直接接触法による超音波探傷装置に関するものである。
【背景技術】
【０００２】
直接接触法を用いた超音波探傷装置では、正確な探傷を行うためには、探触子近傍への給水を確実に行うことが必要である。加えて、ノイズ低減のためには、水の中に気泡が入らないようにする必要もある。また、探触子近傍への給水は、被検体と探触子が直接接する直接接触法を用いた超音波探傷装置では、探触子を痛めないという探触子保護の役割もある。
【０００３】
従来における、給水中から気泡を除去する技術としては、例えば、特許文献１または特許文献２に開示された技術がある。これらの技術は、探触子と離れた場所で、給水の上流側にて、気泡やごみなどを除去する技術である。
【０００４】
また、探傷装置自体で気泡を除去しようとする技術としては、例えば、特許文献３または特許文献４に開示された技術がある。
【０００５】
特許文献３には、探触子ホルダ下面に水溜り凹部を設けることにより、流水域でなく、溜まった水中で探傷を実施する技術が開示されている。また、特許文献４には、気泡抜き溝を設ける技術が開示されている。これらは、いずれも、「局部水浸法」という、被検体の一部を水の中に浸し、探触子から送信された超音波パルスが長い水距離を伝播してから被検体に入射するという方式を用いた超音波探傷装置に関する技術であり、本発明が対象としている直接接触法を用いた超音波探傷装置とは方式が異なっている。
【先行技術文献】
【特許文献】
【０００６】
【特許文献１】実開昭５６−１３１７７号公報
【特許文献２】実公平５−４４７８１号公報
【特許文献３】実開平２−４７５６８号公報
【特許文献４】特開昭５８−９２９４９号公報
【発明の概要】
【発明が解決しようとする課題】
【０００７】
上述した特許文献１および特許文献２では、当該除去装置より下流でかつ探触子より上流で新たに発生する気泡は除去できない、また除去装置が大掛かりで移動が困難であるという問題がある。
【０００８】
また、上述した特許文献３は、給水路と排水路とを示しているだけで、特段の方策は示されていない。そして、上述した特許文献４では、気泡抜き溝を設けているものの、水溜部の断面積に対して空気溝は小さいため、気泡消滅効果が小さいという問題、また、探触子と被検体との間の水の気泡を抜く構造であるので、気泡が抜け切れていない水を介して探傷作業がおこなわれる可能性を否定できないという問題もある。
【０００９】
本発明では、これら従来技術の問題点に鑑み、気泡が入らないように探触子に水を確実に供給することができる、直接接触法による超音波探傷装置を提供することを目的とする。
【課題を解決するための手段】
【００１０】
上記課題は、以下の発明によって解決できる。
【００１１】
［１］  直接接触法による超音波探傷装置であって、
給水ホースと、該給水ホースからの給水を内部に取込む取付けキャップと、
該取付けキャップとの間に、給水を一時溜める水溜部と該水溜部の給水中の気泡を分離する空間部とを形成する給水用キャップとからなる給水部と、
被検体と直接に接触し超音波を発信および被検体からの反射波を受信する探触子とを具備し、
前記給水部を着脱可能なように、前記探触子と一体化し、
前記給水用キャップに設けた溝または穴を通して、前記探触子の直上に給水できるようにすることを特徴とする直接接触法による超音波探傷装置。
【００１２】
［２］  上記［１］に記載の直接接触法による超音波探傷装置において、
前記取付けキャップは空気抜き用の貫通穴を具備することを特徴とする直接接触法による超音波探傷装置。
【発明の効果】
【００１３】
本発明によれば、気泡がなくなった水を探触子に供給しながら探傷することができるので、給水不足を生ずることなく、かつ気泡によるノイズが入らない高精度な超音波探傷が実現できる。
【００１４】
また、給水部を着脱可能なように探触子と一体化できるようにしたことにより、給水部を有しない既存の探触子にも適用可能であるとともに、もし探触子に故障や経時劣化などといった異常が生じても、給水部を分離して新たな探触子に対して継続使用可能である。
【図面の簡単な説明】
【００１５】
【図１】本発明を実施するための第１の実施形態を示す図である。
【図２】給水用キャップの構造例を示す図である。
【図３】給水部に給水されている様子を模式的に示す図である。
【図４】本発明の第２の実施形態において給水部に給水されている様子を模式的に示す図である。
【発明を実施するための形態】
【００１６】
図１は、本発明を実施するための第１の実施形態を示す図である。１は給水ホース、２は取付けキャップ、３は給水用キャップ、４は探触子、および８は給水部をそれぞれ表している。
【００１７】
給水ホース１を取付けた取付けキャップ２と給水用キャップ３とから、給水部８を形成する。探触子４は、被検体と直接に接触し超音波を発信および被検体からの反射波を受信する。
【００１８】
図２は、給水用キャップの構造例を示す図である。図２(ａ)は正面図、(ｂ)は上面図を示しており、給水用キャップ３の側面ならびに上面には、給水された水を探触子の直上に導く給水路を形成するために、溝３１が６箇所設けられている。なお、上面の中心から円周方向への溝３１は、給水用キャップ３の側面である円周面に設けた溝３１への水の流れを確実にしようとするものであり、必ずしも必須のものではない。また、溝の代わりに、給水用キャップを貫通するように穴を設けて、給水路を形成するようにしてもよい。
【００１９】
図３は、給水部に給水されている様子を模式的に示す図である。給水ホース１を取付けた取付けキャップ２と給水用キャップ３とから形成される給水部８に、給水ホース１を経由して給水されている様子を表している。
【００２０】
取付けキャップ２と給水用キャップ３とで形成される上部には、給水ホース１を経由して給水された水５が一時に溜まる水溜部６と、この水溜部６に溜まった給水中の気泡の分離による空間部７ができる。そして、気泡の分離した水は、水溜部６から給水用キャップ３の側面に設けた溝３１を経由して探触子４の直上に供給される。
【００２１】
このように、気泡がなくなった水を探触子に供給しながら探傷することができるので、給水不足を生ずることなく、かつ気泡によるノイズが入らない高精度な超音波探傷が実現できる。
【００２２】
また、上記給水部を着脱可能なように探触子と一体化できるようにしたことにより、給水部を有しない既存の探触子にも適用可能であるとともに、もし探触子に故障や経時劣化などといった異常が生じても、給水部を分離して新たな探触子に対して継続使用可能である。
【００２３】
図４は、本発明の第２の実施形態において給水部に給水されている様子を模式的に示す図である。この実施形態においては、取付けキャップ２に空気抜き用の貫通穴２１を設けている。これは、長時間の使用により空気が取付けキャップ上部に滞留すると、探触子に供給される水に気泡が混入して、ノイズ発生の原因となるおそれがあるためである。
【００２４】
貫通穴を設けることにより、取付けキャップ上部に溜まった空気を外部に排気することができるようにするものである。これにより、長時間にわたり連続的に探傷作業を実施する場合にも、気泡がなくなった水を探触子に供給しながら測定することができるので、気泡によるノイズが入らない高精度な超音波探傷をさらに安定して継続できて好ましい。
【００２５】
貫通穴を設ける場所は特に問わないが、空気が抜けやすい場所に設置するようにする。取付けキャップの内部において空気は上部に溜まることから、取付けキャップの上面または／および側面上部に空気抜き用貫通穴を設けることにより、さらに効果を発揮する。
【符号の説明】
【００２６】
１    給水ホース
２    取付けキャップ
３    給水用キャップ
４    探触子
５    水
６    水溜部
７    空間部
８    給水部
２１  空気抜き用の貫通穴
３１  溝
【図１】
0005870617.tif 000002
【図２】
0005870617.tif 000003
【図３】
0005870617.tif 000004
【図４】
0005870617.tif 000005